(57)【要約】【課題】磁石を用いた不正行為対策を適切に講じる。【解決手段】本実施形態例に係るパチンコ機（遊技機）Ｐでは、磁気センサ７０の検知範囲Ｒは、磁気センサ７０の長手方向の両端側において広い広領域Ｒ１，Ｒ２を有する一方で、広領域Ｒ１，Ｒ２に挟まれている間において広領域Ｒ１，Ｒ２よりも狭い狭領域Ｒ３を有している。広領域Ｒ１，Ｒ２は磁気センサ７０から前面側上方および背面側下方に大きく広がっている略球形状の領域である。狭領域Ｒ３は、広領域Ｒ１と広領域Ｒ２とを接続するように広がっている略くびれ形状の領域である。磁気センサ７０は、整流器（球供給装置）４２に内蔵されたソレノイドから発せられた磁場の範囲Ｌが広領域Ｒ１，Ｒ２と干渉しないように配置されている。【選択図】図１０
2020146392.tif 000002
【特許請求の範囲】
【請求項１】
遊技球が流下する遊技領域を有する遊技盤と、前記遊技盤と対向するように設けられる透明板とを備え、前記遊技盤は、前記遊技領域を流下した遊技球を回収する回収口を前記遊技領域の下部に有している遊技機であって、
前記透明板の下方には、前記遊技領域に遊技球を発射する発射装置に対して遊技球を供給する球供給装置が設けられており、
前記球供給装置は、磁場を発生させる磁性体を有しており、
前記遊技盤の前記回収口と前記球供給装置との間には、磁気センサが設けられており、
前記磁気センサの検知範囲は、広い広領域と、前記広領域よりも狭い狭領域とを有しており、
前記磁気センサは、前記磁性体から発せられた磁場の範囲が前記広領域と干渉しないように配置されている、ことを特徴とする遊技機。
【発明の詳細な説明】
【技術分野】
【０００１】
本発明は、磁石を用いた不正行為対策のために、磁気センサを備えた遊技機に関する。
【背景技術】
【０００２】
パチンコ機（遊技機）は、遊技球が流下する遊技領域を有する遊技盤を保持しており、この遊技盤に設けられた始動口や一般入賞口等に遊技球が入球しなかった場合、この遊技球を遊技領域の下部に設けられたアウト口から外部に排出するようになっている。この種のパチンコ機では、例えば始動口がアウト口付近に設けられている場合、アウト口付近まで流下してきた遊技球を遊技盤に対向する透明板に磁石を近づけて吸着させ、吸着させた遊技球の上に流下してきた遊技球を始動口付近まで積み重ねていき、遊技球をぶどうの房のように滞留させることにより、始動口に遊技球を入球させ易くした不正行為（所謂ぶどうゴト）が行われることがある。そこで、従来、このような磁石を用いた不正行為（所謂磁石ゴト）に対処するために、磁気センサをアウト口付近に配置することにより、不正行為中に磁石から発せられた磁場を磁気センサによって検知して、不正行為を早期に発見できるようにしたパチンコ機が知られている。例えば特許文献１に記載の遊技機では、アウト口の上方近傍に始動口が設けられ、この始動口の左右斜め上方近傍に磁気センサが設けられており、アウト口付近での磁石を用いた不正行為を抑制できるようになっている。
【先行技術文献】
【特許文献】
【０００３】
【特許文献１】特開２０１５−２２９０２０号公報
【発明の概要】
【発明が解決しようとする課題】
【０００４】
しかしながら、上記のような遊技機では、磁気センサの近くに磁性体を内蔵する部品が配置されていると、この部品から発せられた磁場を磁気センサが検知してしまう虞があった。例えば、遊技機には遊技領域に遊技球を発射する発射装置に対して遊技球を供給する球供給装置が設けられており、この球供給装置は遊技球を送り出す揺動レバーの駆動源としてソレノイド（磁性体）を内蔵しているため、このような球供給装置がアウト口の下方に設けられた場合、磁気センサと球供給装置との位置関係によっては、磁気センサの検知範囲と球供給装置から発せられた磁場の範囲とが干渉してしまうことがある。この場合、不正行為が行われていないにも拘らず、磁気センサが磁場を検知してしまい、磁石を用いた不正行為対策を適切に講じることができない。
【０００５】
本発明は、上記した実情に鑑みてなされたものであり、その目的は、磁石を用いた不正行為対策を適切に講じることができる遊技機を提供することにある。
【課題を解決するための手段】
【０００６】
上記の課題を解決するため、本発明は、遊技球が流下する遊技領域を有する遊技盤と、前記遊技盤と対向するように設けられる透明板とを備え、前記遊技盤は、前記遊技領域を流下した遊技球を回収する回収口を前記遊技領域の下部に有している遊技機であって、前記透明板の下方には、前記遊技領域に遊技球を発射する発射装置に対して遊技球を供給する球供給装置が設けられており、前記球供給装置は、磁場を発生させる磁性体を有しており、前記遊技盤の前記回収口と前記球供給装置との間には、磁気センサが設けられており、前記磁気センサの検知範囲は、広い広領域と、前記広領域よりも狭い狭領域とを有しており、前記磁気センサは、前記磁性体から発せられた磁場の範囲が前記広領域と干渉しないように配置されている、ことを特徴とする。
【発明の効果】
【０００７】
本発明によると、磁石を用いた不正行為が行われていないときに、磁気センサが磁性体から発せられた磁場を検知しないようにできる。
【図面の簡単な説明】
【０００８】
【図１】本実施形態例に係るパチンコ機の正面図である。
【図２】図１に示すパチンコ機の斜視図である。
【図３】図１に示すパチンコ機の前扉を開放した状態を示す斜視図である。
【図４】図１に示すパチンコ機の背面図である。
【図５】図１のＡ−Ａ線断面図である。
【図６】図３に示す内枠の支持板にセンサユニットを取り付けるための取付構成を示す正面図である。
【図７】図６に示す取付構成の斜視図である。
【図８】図６のＣ−Ｃ線断面図である。
【図９】図６に示す取付構成の側面図である。
【図１０】図５に示す領域Ｂの拡大図である。
【発明を実施するための形態】
【０００９】
発明の実施の形態について図面を参照して説明すると、図１，２に示すように、本発明の実施形態例に係るパチンコ機（遊技機）Ｐは、遊技場の島設備に設置される縦長方形状の外枠１と、外枠１に扉状に開閉自在に取り付けられる内枠２と、内枠２の前面に扉状に開閉自在に取り付けられる前扉３等を備えている。内枠２は後述する遊技盤（図３参照）を保持しており、前扉３はガラスやプラスチック等からなる透明板４を保持している。
【００１０】
外枠１の左側枠部には、上側軸受け体１Ａと下側軸受け体１Ｂが固着されている。一方、内枠２の左側枠部の上下両端には、第１ピン（図示せず）が設けられている。これら両第１ピンを上側軸受け体１Ａと下側軸受け体１Ｂに軸支することによって、内枠２を外枠１に対して開閉自在に支持する第１ヒンジ機構が構成されている。
【００１１】
内枠２の右側枠部は第１ヒンジ機構と反対側の自由端側であり、この右側枠部にはシリンダ錠５が設けられている。図示は省略されているが、内枠２の右側面にはシリンダ錠５を有する施錠装置が設置されている。この施錠装置は、内枠２の裏面側に突出する後部施錠杆と、内枠２の前面側に突出する前部施錠杆とを備えている。常態では、施錠装置の後部施錠杆によって外枠１に対して内枠２が施錠されるとともに、前部施錠杆によって内枠２に対して前扉３が施錠されている。シリンダ錠５の鍵穴に図示せぬ鍵を差し込んでこれを一方向（例えば時計回り）へ回動すると、後部施錠杆が下動して内枠２が開錠されるようになっている。また、シリンダ錠５の鍵穴に差し込んだ鍵を他方向（反時計回り）へ回動すると、前部施錠杆が上動して前扉３が開錠されるようになっている。
【００１２】
前扉３の左側枠部の上下両端には、第２ピン（図示せず）が設けられており、これら両第２ピンを内枠２の左側枠部に突設した上下の支持板２ａ，２ｂに軸支することによって、前扉３を内枠２の左側枠部に対して開閉自在に支持する第２ヒンジ機構が構成されている。
【００１３】
図３に示すように、内枠２の上部内側には遊技盤６が収納されており、この遊技盤６は遊技球が流下する遊技領域６０を有している。遊技領域６０は、ガイドレール６１等によって略円形状に区画されているとともに、透明板４を透して目視可能となっている。この遊技領域６０には、遊技球の入球が大当たり抽選の実行契機となる始動口６２、遊技球の入球が所定個数の賞球の払い出し契機となる一般入賞口６３、遊技領域６０の下部に流下してきた遊技球を外部に排出するアウト口６４等が設けられている。また、遊技盤６よりも下方の内枠２には、遊技球を遊技領域６０に向けて発射する発射装置４０や、不正行為対策としての後述する磁気センサ（図６〜９参照）を支持する支持板４１等が設けられている。また、前扉３の背面側には、発射装置４０に対して遊技球を供給する球供給装置である整流器４２等が設けられている。なお、図示は省略されているが、整流器４２は、後述する上段受皿に貯留された遊技球を発射装置４０に向けて送り出す揺動レバーや、この揺動レバーを駆動するためのソレノイド等を内蔵している。ソレノイドは、導線が密に巻き付けられた円筒状のコイル内に配置された固定鉄芯やこの固定鉄芯と上下方向に対向する可動鉄芯（プランジャー）等から構成され、導線に電流を流したときに発生する磁場によって、可動鉄芯を固定鉄芯に吸い寄せるように動作させるアクチュエータである。磁気センサ、整流器４２およびアウト口６４の位置関係の詳細は後述する。
【００１４】
図１，２に戻り、前扉３は中央に開口部３０を有しており、この開口部３０を塞ぐように透明板４が取り付けられている。前扉３には、透明板４の下方に遊技球を収容可能な上段受皿１０および下段受皿１１が設けられており、下段受皿１１の右側方に遊技球の発射操作を行うための操作ハンドル１２が設けられている。また、前扉３には、透明板４の上方から左側方にかかる部位を囲むように装飾レンズ１３が設けられ、透明板４の右上方に回転灯ユニット１４が設けられ、回転灯ユニット１４の真下であって透明板４の右側方にサイドパネルユニット１５が設けられ、上段受皿１０の前面中央に演出操作ボタンユニット１６が設けられ、透明板４の左右下方と上方に複数（本例では、４つ）のスピーカ１７ａ〜１７ｄが設けられている。
【００１５】
図４に示すように、このパチンコ機Ｐの背面側には、遊技に関する主要な処理を行う主制御基板１８と、主制御基板１８からの指令を受けてスピーカ１７ａ〜１７ｄ等の各種演出装置を制御する副制御基板１９と、賞球を上段受皿１０に払い出す賞球払出装置２０と、主制御基板１８からの指令を受けて賞球払出装置２０を制御する払出制御基板２１と、操作ハンドル１２の回転操作量に応じて発射装置４０の作動を制御する発射制御基板２２と、大当たり回数や不正行為の発生等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。なお、主制御基板１８には、上記した磁気センサが電気的に接続されている。
【００１６】
本実施形態例では、遊技盤６のアウト口６４付近において磁石を用いた不正行為が行われた場合、磁気センサは、磁石から発せられた磁場を検知すると、磁場を検知した旨の情報を含むコマンド（検知コマンド）を主制御基板１８に送信する。主制御基板１８は、検知コマンドを受信したことに基づいて、副制御基板１９に不正行為の発生を報知する旨の情報を含むコマンド（報知コマンド）を送信する。そして、副制御基板１９は、受信した報知コマンドに基づいて、スピーカ１７ａ〜１７ｄ等に不正行為の発生を報知させたり、外部端子基板２３を介してホールコンピュータに不正行為の発生を知らせる情報を出力する。
【００１７】
次に、図５を参照して、本実施形態例における上記した磁気センサ、整流器４２および遊技盤６のアウト口６４の位置関係について説明する。この図に示すように、内枠２は透明板４と対向するように遊技盤６を保持しており、この遊技盤６の下部にアウト口６４が位置している。また、内枠２の下部内側には、このアウト口６４の下方に位置するように磁気センサ７０が取り付けられている。具体的には、この磁気センサ７０は、内枠２の下部内側において、後述するホルダと一体化された磁気センサユニット（図６〜図９参照）として、アウト口６４の下方に位置する支持板４１（図３参照）の背面側に取り付けられている。また、前扉３の下部背面側において、整流器４２が磁気センサ７０の下方に位置するように配置されている。このように、図１のＡ−Ａ線断面上に、アウト口（回収口）６４、磁気センサ７０および整流器４２に内蔵されたソレノイド（磁性体）が配置されている。そして、正面視において磁気センサ７０は、パチンコ機Ｐの内側において遊技盤６のアウト口６４と整流器４２との間に設けられているため、整流器４２内のソレノイドから発せられた磁場の影響を受ける虞がある。そこで、本実施形態例では、詳細な説明は後述するが、磁気センサ７０は支持板４１に対して斜めの姿勢を保持するように配置されている。なお、発射装置４０は、内枠２の下部内側において、整流器４２の下方に位置するように配置されている。
【００１８】
次に、図６〜９を参照して、磁気センサ７０を内枠２の支持板４１（図３参照）に取り付けるための取付構成について説明する。なお、図６，７に示す支持板４１は、図３に示した支持板４１の一端部周辺を背面側から見たときの図であり、鉛直方向に沿って垂直な姿勢で内枠２に取り付けられている。図６〜９に示すように、磁気センサ７０は略直方体形状の外観を有するデバイスであり、ホルダ７１がこの磁気センサ７０を保持することによって、センサユニット７２が構成されている。
【００１９】
ホルダ７１は、磁気センサ７０を配置するための基台部７１ａと、ホルダ７１を支持板４１に取り付けるための第１取付片７１ｂおよび第２取付片７１ｃとを有している。図８，９に示すように、基台部７１ａは、磁気センサ７０を収納するための収納凹部７１０ａを有している。この収納凹部７１０ａは、磁気センサ７０をホルダ７１の下端部側から挿入可能になっているとともに凹状に窪んでいる。収納凹部７１０ａにおける磁気センサ７０の配置面は、支持板４１の背面側に向かって下り傾斜している。また、図６，７に示すように、基台部７１ａは、収納凹部７１０ａに配置された磁気センサ７０を保持するための一対の係止爪部７１０ｂを有している。
【００２０】
磁気センサ７０をホルダ７１の基台部７１ａに取り付ける際には、磁気センサ７０をホルダ７１の下端部側から収納凹部７１０ａ内に向けて挿入する。そして、磁気センサ７０が基台部７１ａの配置面上に配置されると、磁気センサ７０の表面に設けられた凹部に一対の係止爪部７１０ｂが係合することにより、磁気センサ７０は基台部７１ａに保持される。このようにして、支持板４１への取り付け前に、磁気センサ７０とホルダ７１が一体化されたセンサユニット７２が構成される。
【００２１】
図８に示すように、第１取付片７１ｂは、ホルダ７１の上端部から上方に突出しており、支持板４１の後述する第１案内部に挿入可能になっている。また、第２取付片７１ｃは、ホルダ７１の下端部から下方に突出しており、支持板４１の後述する第２案内部に挿入可能になっている。なお、ホルダ７１は、基台部７１ａの配置面に対して磁気センサ７０が配置されない方を中空構造としている。
【００２２】
図６〜９に示すように、支持板４１は、ホルダ７１の第１取付片７１ｂを案内するための第１案内部４１ａと、第２取付片７１ｃを案内するための第２案内部４１ｂと、これら案内部４１ａ，４１ｂに案内されたホルダ７１の移動を停止させるためのストッパ４１ｃとを有している。第１案内部４１ａは支持板４１の上部において背面側に突出しており、第１案内部４１ａの左右方向の一端側は閉塞されている。また、第１案内部４１ａの左右方向の他端側は開口しており、第１取付片７１ｂは第１案内部４１ａの開口端側から内部に挿入可能となっている。第２案内部４１ｂは支持板４１の下部において背面側に突出しており、第２案内部４１ｂの左右方向の一端側は閉塞されている。また、第２案内部４１ｂの左右方向の他端側は開口しており、第２取付片７１ｃは第２案内部４１ｂの開口端側から内部に挿入可能となっている。ストッパ４１ｃは、板状部材であって、第１案内部４１ａと第２案内部４１ｂとの間に設けられており、ストッパ４１ｃの板面とホルダ７１の側部とが当接可能となるように支持板４１の背面側に突出している。
【００２３】
センサユニット７２を内枠２の支持板４１に取り付ける際には、ホルダ７１の第１取付片７１ｂを支持板４１の第１案内部４１ａの開口端側から挿入するとともに、第２取付片７１ｃを第２案内部４１ｂの開口端側から挿入する。このとき、第１取付片７１ｂが第１案内部４１ａに沿って案内されるとともに、第２取付片７１ｃが第２案内部４１ｂに沿って案内され、ストッパ４１ｃの板面と基台部７１ａの側部とが当接する。このようにして、支持板４１へセンサユニット７２が取り付けられ、磁気センサ７０が支持板４１に対して傾斜配置される。
【００２４】
次に、図１０を参照して、磁気センサ７０の検知範囲と整流器４２の磁場範囲の関係について説明する。図１０に示す検知範囲Ｒは、磁気センサ７０が所定の強さ以上の磁場を検知可能な範囲であり、略ひょうたん形状となっている。この検知範囲Ｒは、磁気センサ７０の長手方向における両端側で広領域Ｒ１，Ｒ２を有し、これら広領域Ｒ１，Ｒ２に挟まれた間で広領域Ｒ１，Ｒ２よりも狭い狭領域Ｒ３を有している。広領域Ｒ１は、磁気センサ７０から前面側上方に向かって広がっている略球形状の領域であり、広領域Ｒ２は、磁気センサ７０から背面側下方に向かって広がっている略球形状の領域である。一方で、狭領域Ｒ３は、広領域Ｒ１と広領域Ｒ２とを接続するように広がっているくびれ形状の領域である。なお、広領域Ｒ１は、アウト口６４と対向する透明板４よりも前面側に至る範囲まで延びており、この範囲内で透明板４の前面側から磁石を近づけると、磁気センサ７０が磁場を検知し、不正行為を発見できるようになっている。
【００２５】
このような磁気センサ７０の検知範囲Ｒでは、広領域Ｒ１，Ｒ２から狭領域Ｒ３に向かうにしたがって、検知範囲Ｒの境界線が磁気センサ７０側に向かって湾曲しながら凹んでいる。そして、上記のように磁気センサ７０を内枠２の支持板４１に対して傾斜配置することにより、この狭領域Ｒ３を整流器４２に向けるようにしている。
【００２６】
整流器４２内のソレノイドから発せられた磁場の範囲Ｌは、所定の強さ以上の磁場の範囲であり、ソレノイドを中心として略球形状に広がっている。磁気センサ７０が内枠２の支持板４１に対して傾斜配置されている状態では、この磁場の範囲Ｌが、狭領域Ｒ３の凹んでいる境界線の外側近傍に配置されている。このとき、磁場の範囲Ｌの境界線と広領域Ｒ１，Ｒ２の境界線とが重ならないようになっているとともに、磁場の範囲Ｌの境界線と狭領域Ｒ３の境界線との距離が近くなっている。こうして、磁場の範囲Ｌが、広領域Ｒ１，Ｒ２と干渉せずに狭領域Ｒ３と近接するようになっている。そのため、磁気センサ７０は、ソレノイドから発せられた磁場から影響を受けることはないので、この磁場を検知しないようになっている。
【００２７】
以上説明したように、本実施形態例に係るパチンコ機（遊技機）Ｐでは、磁気センサ７０が検知範囲Ｒの狭領域Ｒ３を整流器（球供給装置）４１に向けた状態で配置されており、磁気センサ７０の検知範囲Ｒと整流器４２内のソレノイド（磁性体）から発せられた磁場の範囲Ｌとが干渉しないようになっている。そのため、磁石を用いた不正行為が行われていないときに、磁気センサ７０がソレノイドから発せられた磁場を検知しないようになっている。したがって、磁石を用いた不正行為対策を適切に講じることができる。
【００２８】
また、本実施形態例では、磁気センサ７０が内枠２に対して傾斜配置された状態で、透明板４の前面側に磁気センサ７０の検知範囲Ｒが及ぶようにしている。したがって、磁気センサ７０が整流器４２内のソレノイドから発せられた磁場を検知しないようにしつつ、さらにアウト口（回収口）６４付近での不正行為の検知精度を維持することができる。
【００２９】
また、本実施形態例では、磁気センサ７０が遊技盤６の背面側ではなく、内枠２の下方内側に配置されている。そのため、各種部材によるスペースの制約によって遊技盤６の背面側に磁気センサ７０が配置できない場合であっても、不正行為対策を適切に講じることができる。また、遊技盤６の背面側には、例えばアタッカー装置を駆動させるためのソレノイド等が配置されているため、磁気センサ７０がこのような磁性体から発せられた磁場から影響を受けることを回避できる。
【００３０】
なお、上記実施形態例では、磁気センサ７０は、整流器４２内のソレノイドから発せられた磁場を検知しないように、内枠２の支持板４１に対して傾斜配置されていたが、これに限られない。例えば磁気センサ７０は内枠２の支持板４１に対して垂直に配置されてもよい。この場合、上記実施形態例に比べて、磁気センサ７０を前面側に配置することにより、ソレノイドから発せられた磁場の上方領域が、磁気センサ７０の検知範囲Ｒの広領域Ｒ１，Ｒ２と干渉せずに狭領域Ｒ３に近接するようにすればよい。
【００３１】
また、上記実施形態例では、整流器４２から発せられた磁場の影響のみを考慮して、磁気センサ７０の配置を決定していたが、これに限られない。例えば発射装置４０内のモータに内蔵されたソレノイドから発せられた磁場がある程度の強さを持つ場合には、この磁場の影響も考慮して、磁気センサ７０の配置を決定すればよい。この場合、検知範囲Ｒが、整流器４２内のソレノイドから発せられた磁場と発射装置４０内のソレノイドから発せられた磁場との双方によって作られる磁場の範囲と干渉しないように、磁気センサ７０を配置すればよい。
【００３２】
また、上記実施形態例では、磁気センサ７０の検知範囲Ｒは略ひょうたん形状になっていたが、これに限られることなく、使用する磁気センサの種類によって様々な形状が考えられる。そのため、使用する磁気センサの検知範囲の形状に応じて、整流器４２から発せられた磁場の範囲Ｌと、磁気センサの検知範囲とが干渉しないように、磁気センサを配置すればよい。
【００３３】
また、上記実施形態例では、磁気センサ７０は、略直方体形状であったが、これに限られず、種々の形状の磁気センサを使用することができる。
【００３４】
また、上記実施形態例では、遊技領域６０を流下した遊技球を回収する回収口の一例としてアウト口６４を挙げて説明したが、これに限られない。例えば、遊技領域６０の下部中央に始動口が形成されている場合には、この始動口が回収口に相当する。
【符号の説明】
【００３５】
Ｐ    パチンコ機（遊技機）
４    透明板
６    遊技盤
４２  整流器（球供給装置）
６０  遊技領域
６４  アウト口（回収口）
７０  磁気センサ
Ｒ    検知範囲
Ｒ１，Ｒ２  広領域
Ｒ３  狭領域
Ｌ    磁場の範囲
【図１】
2020146392.tif 000003
【図２】
2020146392.tif 000004
【図３】
2020146392.tif 000005
【図４】
2020146392.tif 000006
【図５】
2020146392.tif 000007
【図６】
2020146392.tif 000008
【図７】
2020146392.tif 000009
【図８】
2020146392.tif 000010
【図９】
2020146392.tif 000011
【図１０】
2020146392.tif 000012